(57)【要約】  【課題】  空気調和機の全幅長さを短縮すること，及び，内設された換気ファンの吸気口に取り付けられる粉塵フィルターの取付構造を簡素化すること。  【課題を解決するための手段】  送風機５を囲んで湾曲状に配置された熱交換器４と，上記熱交換器４を該熱交換器４の少なくとも一の端部で支持し且つ上記熱交換器４により囲まれた包囲空間１２に位置対応する凹部２２が上記熱交換器４とは反対側の外側面２３に形成されてなる支持板２０と，上記支持板２０を挟んで上記熱交換器４とは反対側の近傍に設けられ粉塵フィルター４０を介して吸気した空気を室外に排出する換気ファン３０と，を備えた空気調和機Ｘに適用され，吸気口３２を有する上記換気ファン３０の上記熱交換器４側の取付面３７と上記支持板２０の上記外側面２３とを当接させることにより，上記凹部２２を経て上記換気ファン３０の吸気口３２に空気を導く空気流路を形成するよう構成さする。【選択図】図４
2006125704.tif 000002
【特許請求の範囲】
【請求項１】
送風機の縦断面方向から見て該送風機を囲んで湾曲状に配置された熱交換器と，
上記熱交換器を該熱交換器の少なくとも一の端部で支持し，且つ上記熱交換器により囲まれた包囲空間に位置対応する凹部が上記熱交換器とは反対側の外側面に形成されてなる支持部材と，
上記支持部材を挟んで上記熱交換器とは反対側の近傍に設けられ粉塵フィルターを介して吸気した空気を室外に排出する換気ファンと，
を備えてなる空気調和機であって，
吸気口を有する上記換気ファンの上記熱交換器側の取付面と上記支持部材の上記外側面とを当接させることにより，上記凹部を経て上記換気ファンの吸気口に空気を導く空気流路を形成してなることを特徴とする空気調和機。
【請求項２】
上記支持部材の上記外側面に，上記換気ファンの吸気口に上記粉塵フィルターを導く第１のフィルターガイドが設けられてなる請求項１に記載の空気調和機。
【請求項３】
上記換気ファンの上記熱交換器側の取付面に，上記換気ファンの吸気口に上記粉塵フィルターを導く第２のフィルターガイドが設けられてなる請求項１又は２のいずれかに記載の空気調和機。
【請求項４】
上記第１のフィルターガイドが上記支持部材と，上記第２のフィルターガイドが上記換気ファンのケーシングとそれぞれ一体形成されてなる請求項２又は３のいずれかに記載の空気調和機。
【請求項５】
上記換気ファンの上記熱交換器側の取付面と上記支持部材の上記外側面とを当接させることによって上記第１のフィルターガイド及び第２のフィルターガイドが，上記粉塵フィルターを上記換気ファンの吸気口に導くと共に支持するフィルター支持部を構成してなる請求項２〜４のいずれかに記載の空気調和機。
【発明の詳細な説明】
【技術分野】
【０００１】
本発明は，室内空気と熱交換器内を流動する冷媒との間で熱交換することにより室内の冷房或いは暖房を行う空気調和機に関し，特に，室内の空気を吸引して室外に排出する換気機能を備えた空気調和機に関するものである。
【背景技術】
【０００２】
近年，室内の冷房或いは暖房を行う空気調和機においては，室内の空気を吸引して室外に排出する換気装置を備えたものが知られている。この換気装置は，空気調和機の内部に配設されたシロッコファン等の換気ファンを運転（駆動）することにより，空気調和機の筐体（オープンパネルの前面又は側面等）に形成された開口部から室内空気を吸引し，その吸引した室内空気を排気ダクトを介して室外に排出するよう構成されている。このような換気装置を備えた空気調和機の一例が特許文献１及び２に提案されている。
ここで，図８を用いて上記特許文献１の空気調和機Ｙ１が具備する換気装置について簡単に説明する。ここに，図８の（ａ）は上記空気調和機Ｙ１の正面図，（ｂ）は（ａ）のＢ−Ｂ断面図である。図８に示すように，上記空気調和機Ｙ１の換気装置は，正面から見て熱交換器１３５の右側に配置された換気ファン１３１と，上記換気ファン１３１の排気口１３１−２に接続された換気ホース（排気ダクト）１３２と，空気調和機筐体１３０の前面の右端部近傍に形成された室内空気吸入口１３３ａと，該室内空気吸入口１３３ａから吸引される室内空気を上記換気ファン１３１の吸気口１３１−１に導く空気路１３６と，上記室内空気吸入口１３３ａに取付可能な粉塵フィルター１３４ａとを備えて構成されている。このような換気装置が備えられているため，上記換気ファン１３１によって上記室内空気吸入口１３３ａから吸引された室内空気が上記換気ホース１３２を通って室外に排出される。
続いて，図９を用いて上記特許文献２の空気調和機Ｙ２が具備する換気装置について説明する。ここに，図９の（ａ）は上記空気調和機Ｙ２の正面図，（ｂ）は（ａ）のＣ−Ｃ断面図である。図９に示すように，上記空気調和機Ｙ２の換気装置は，空気調和機筐体１３０の右側面に形成された格子状の室内空気吸入口１３３ｂに吸気口１３１−１が対向するように換気ファン１３１が設けられており，空気調和機筐体１３０の下部面のスリット１３０−１から上記吸気口１３１−１の近傍へ粉塵フィルター１３４ｂを挿入可能に構成されている。これにより，空気調和機筐体１３０の前面に幅広の開口部を設けることなく上記室内空気吸入口１３３ｂから吸引した室内空気を室外に排出することができる。
【特許文献１】特開２００２−２５０５３８号公報
【特許文献２】特開２００１−２１５０２９号公報
【発明の開示】
【発明が解決しようとする課題】
【０００３】
しかしながら，上記特許文献１の空気調和機Ｙ１（図８参照）では，上述したように，空気調和機Ｙ１の筐体前面に幅広の室内空気吸入口１３３ａが設けられているため，上記空気調和機Ｙ１の全幅（幅方向の長さ）が長くなるという問題がある。また，粉塵フィルター１３４ａを筐体前面に取り付ける構造を有しているため，その取り付け機構を上記筐体前面に設けなければならず，筐体前面の形状又は構造が複雑化するという問題もある。
また，上記特許文献２の空気調和機Ｙ２（図９参照）においては，室内空気吸入口１３３ｂが筐体の右側面に形成されているため，空気調和機Ｙ２の全幅を比較的短くすることができる。しかしながら，上記空気調和機Ｙ２では，筐体の右側面との接触を避ける必要があるため，更には上記換気ファン１３１の吸気効率という観点から上記換気ファン１３１の吸気口１３１−１と上記室内空気吸入口１３３ｂとの間に所定の隙間ｄ（少なくとも５ｍｍ程度）を確保しなければならないため，どうしても上記隙間ｄ分だけ装置の全幅が長くなるという問題を回避することができない。その一方で，製品の幅方向の外形寸法を大きくすることなく空気調和性能を維持若しくは向上させるために熱交換器の全幅を最大化する必要があり，そのため装置の縮小化の要求が強い昨今においては，上記隙間ｄを排除することのできる内部構造が模索されている。また，上記空気調和機Ｙ２では，上記粉塵フィルター１３４ｂを吸気口１３１−１に導くガイドレールやその支持機構等の別部品を要するため，内部構造の煩雑化，部品点数の増加による部品管理の煩雑化，製品コストの増大化という問題が内在している。
従って，本発明は上記事情に鑑みてなされたものであり，その目的とするところは，空気調和機の全幅寸法を長尺化させずに熱交換器の全幅サイズを最大化すること，及び，換気ファンの吸気口に取り付けられる粉塵フィルターの取付構造を簡素化することが可能な空気調和機を提供することにある。
【課題を解決するための手段】
【０００４】
上記目的を達成するために本発明は，送風機を囲んで湾曲状に配置された熱交換器と，上記熱交換器を該熱交換器の少なくとも一の端部で支持し，且つ上記熱交換器により囲まれた包囲空間に位置対応する凹部が上記熱交換器とは反対側の外側面に形成されてなる支持部材と，上記支持部材を挟んで上記熱交換器とは反対側の近傍に設けられ粉塵フィルターを介して吸気した空気を室外に排出する換気ファンと，を備えた空気調和機に適用されるものであって，吸気口を有する上記換気ファンの上記熱交換器側の取付面と上記支持部材の上記外側面とを当接させることにより，上記凹部を経て上記換気ファンの吸気口に空気を導く空気流路を形成するよう構成されている。
一般に，上記送風機の送風効率や上記熱交換器の熱交換効率を考慮して，上記送風機及び上記熱交換器のフィン部分はその幅長さを略同じにしている。また，上記送風機で吸い込まれた空気を上記送風機及び上記熱交換器の端部方向へ逃げないように支持されている。このような支持構造として，従来，上記凹部を有する上記支持部材が用いられている。本発明は，上記支持部材に形成された上記凹部のスペースを換気ファンの吸気スペースとして有効活用することにより，前記従来の空気調和機Ｙ２に設けられていた吸気スペースｄ（図９参照）を排除してその長さ分だけ空気調和機の全幅の短縮を実現している。
ここで，上記支持部材には，その外側面に，上記換気ファンの吸気口に上記粉塵フィルターを導く第１のフィルターガイドが設けられている。これにより，別途フィルターガイドを別部品として設ける必要が無くなる。その結果，粉塵フィルターの取付構造を簡素化し，且つ，部品点数を減少させることが可能となる。
また，上記換気ファンの上記熱交換器側の取付面にも，上記換気ファンの吸気口に上記粉塵フィルターを導く第２のフィルターガイドが設けられているため，この場合も，粉塵フィルターの取付構造の簡素化，部品点数の省減を図ることができる。
更にまた，上記第１のフィルターガイドが上記支持部材と，上記第２のフィルターガイドが上記換気ファンのケーシングとそれぞれ一体形成されたものであれば，上記各ガイドを容易に成型等により製作することができ，製造効率の向上が図られる。
また，上記換気ファンの上記熱交換器側の取付面と上記支持部材の上記外側面とを当接させることによって上記第１のフィルターガイド及び第２のフィルターガイドが，上記粉塵フィルターを上記換気ファンの吸気口に導くと共に支持するフィルター支持部を構成するものであれば，上記粉塵フィルターの支持部品を排除することができ，粉塵フィルターの取付構造を更に簡素化することが可能となる。
【発明の効果】
【０００５】
以上説明したように，本発明によれば，支持部材に形成された凹部のスペースを換気ファンの吸気スペースとして有効活用することにより，従来設けられていた換気ファンの吸気スペースを排除してその長さ分だけ熱交換器の全幅サイズを大きくすることができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る空気調和機Ｘの全体を示す全体斜視図，図２は上記空気調和機Ｘを正面左方向から見た縦断面図，図３は支持板２０の外観形状を説明する外形図，図４は熱交換器４の左端部に支持板２０が取り付けられた状態を示す縦断面図，図５は上記支持板２０に換気ファン３０が取り付けられた状態を示す縦断面図，図６は粉塵フィルター４０が取り付けられた状態を示す縦断面図，図７は換気ファン３０の外観形状を示す外観図，図８は従来の空気調和機Ｙ１の換気装置の概要を説明する模式図，図９は従来の空気調和機Ｙ２の換気装置の概要を説明する模式図である。
まず，図１及び図２を用いて，本発明の実施の形態に係る空気調和機Ｘの外観構成及び内部構成の概要について説明する。
本空気調和機Ｘは，図１及び図２に示すように，キャビネット６，ドレンパン７及びオープンパネル９等により構成される横長の本体筐体１と，室内の空気を吸い込む空気吸込口３と，上記空気調和機Ｘの下部に配置され，熱変換された空気を室内に送り出す空気吹出口１６と，該空気吹出口１６に着脱可能な左ルーバ２ａと右ルーバ２ｂとからなる分離型上下ルーバ２（以下，分離ルーバと略す）と，一体型の（分離型でない）上下ルーバ１０と，を具備してその外観が構成されている。
【０００７】
また，上記空気調和機Ｘの内部は，図２及び図５〜図７に示すように，上記空気吸込口３の近傍に備えられた図示しないフィルターと，上記空気吸込口３から室内空気を吸い込むと共に熱交換された空気を上記空気吹出口１６から室内に送り出す送風機５と，上記送風機５により取り入れられた室内空気と冷媒との間で熱交換を行う熱交換器４と，室内空気を室外に排出する換気ファン３０（図５〜７参照）と，該換気ファン３０の吸気口３２（図５〜７参照）の近傍に設けられた粉塵フィルター４０（図５参照）と，が適宜配設されて構成されている。
このように構成された上記空気調和機Ｘでは，上記送風機５の回転によって空気吸込口３から吸い込まれた室内空気は，熱交換器４を通ることで熱交換器４の内部を流動する冷媒との間で熱交換され，その後，上記分離ルーバ２及び上下ルーバ１０の周囲を通って空気吹出口１６から室内に送り出される。このとき，上記分離ルーバ２及び上下ルーバ１０は，これらの各ルーバに連結された図示しないステッピングモータ等の駆動手段によって上下方向に揺動されるよう制御され，これにより，空気調和機Ｘの空気吹出口１６から送り出される空気流の方向が上下に変更される。
また，上記空気調和機Ｘには上記換気ファン３０が設けられているため，本体筐体１に形成された上記空気吸込口３から上記換気ファン３０に吸引され上記粉塵フィルター４０により粉塵が除去された室内空気が排気ダクト３１（図５参照）を通って室外に排出される。
【０００８】
上記送風機５は上記空気調和機Ｘの幅方向に長い形状をしており，図２に示すように空気調和機Ｘの縦断面方向から見て略中央部に配設されている。
また，上記熱交換器４は，図２に示すように，３つの熱交換体４ａが連結されて構成されている。上記各熱交換体４ａは，送風効率や熱交換効率等を考慮して上記送風機５と略同長さの幅方向に長い形状をしており，複数列のフィンが互いに狭小の間隙を隔てて並設されたフィン群４ｂと，該フィン群４ｂを上記空気調和機Ｘの幅方向へ貫通する複数の冷媒管（不図示）とを有して構成され，隣接する上記冷媒管の端部同士が上記各熱交換体４ａの両端部でベンド管４ｃにより配管接続されている。上記各熱交換体４ａは，上記送風機５の縦断面方向から見て該送風機５を囲むように連結されており，これにより，上記熱交換器４は，上記送風機５を囲むように湾曲状に上記空気調和機Ｘ内に配設されている。このように上記熱交換器４が構成されることにより，該熱交換器４の内部を流動する冷媒の流入口から流出口までの一連の冷媒経路が形成される。
【０００９】
上記熱交換器４は，図４に示すように，支持板２０（支持部材に相当）によってその左端部が支持されている。以下に，図３を用いて，上記支持板２０の形状について説明する。ここに，図３（ａ）は縦断面方向から見た上記支持板２０を示す図，（ｂ）は（ａ）のＡ−Ａ断面図，（ｃ）は（ａ）の側面図であり，図４（ａ）は熱交換器４の左端部に支持板２０が取り付けられた状態を示す縦断面図，（ｂ）は前カバーが取り外された状態の熱交換器４の左端部の正面図である。
前記したように上記熱交換器４を構成する熱交換体４ａと上記送風機５とは略同じ幅長さに設計されているが，上記熱交換器４はその幅方向に突出した前記ベンド管４ｃの分だけ長くなっている。そのため，上記支持板２０は，図３に示すように，上記ベンド管４ｃを収容する略Ｕの字状（図６（ｂ）参照）のベンド管収容部２１が形成されている。また，送風機５により取り込まれた室内空気が該送風機５の端部に回りこまないように，上記送風機５の幅方向の端面と上記支持板２０を当接させるべく，該支持板２０には，上記熱交換器４により囲まれた包囲空間１２（図２参照）に位置対応する凹部２２（図３及び図４の網掛け部分）が上記熱交換器４とは反対側の外側面２３に形成されている。
更に，図３に示すように上記支持板２０の上記外側面２３には，上記換気ファン３０の吸気口３２（図５〜７参照）に上記粉塵フィルター４０を導くフィルターガイド２４（第１のフィルターガイドに相当）が設けられている。このフィルターガイド２４は，図５に示すように，上記粉塵フィルター４０の上端４１及び下端４２のそれぞれを挿入方向Ｚ２（図５参照）へスライド自在に導くレール状の上端ガイド部２４ａと下端ガイド部２４ｂとを有する。上記フィルターガイド２４は，上記支持板２０に後付け可能に構成された別部材であってもよいが，部品点数，作業工数等を減少させるべく上記支持板２０に成型等によって一体形成されたものであることが望ましい。
【００１０】
上記換気ファン３０は，図７に示すように，そのケーシング（筐体）３５に，室内空気の吸気口３２と，排気ダクト３１を介して空気を排出する排出口３８と，挿入された粉塵フィルター４０を上記吸気口３２に導くフィルターガイド３３，３４（第２のフィルターガイドに相当）とが，設けられている。ここに，図７は換気ファン３０の両側面を示す図であり，（ａ）は上記支持板２０に取り付けられる取付面３７とは反対の面３６を示し，（ｂ）は上記支持板２０に取り付けられる取付面３７を示す。上記フィルターガイド３３，３４も，上記フィルターガイド２４と同様の理由により，そのケーシング（筐体）３５に一体形成されたものであることが望ましい。なお，上記フィルターガイド３３は，上記粉塵フィルター４０を上記吸気口３２に導くだけでなく，上記粉塵フィルター４０の挿入方向Ｚ２の先端４３（図５参照）と当接して上記粉塵フィルター４０がそれ以上挿入されないように係止するものでもある。
【００１１】
次に，上記換気ファン３０の取り付け位置について図５及び図６を用いて説明する。ここに，図５は上記支持板２０に換気ファン３０が取り付けられた状態を示す縦断面図，図６の（ａ）は粉塵フィルター４０が取り付けられた状態を示す縦断面図，（ｂ）は（ａ）Ｐ−Ｐ断面図である。
上記換気ファン３０は，図５及び図６に示すように，上記支持板２０を挟んで上記熱交換器４とは反対側，即ち，正面から見て上記熱交換器４の左側に配設されている。また，この換気ファン３０は，上記熱交換器４の左側でキャビネット６に取り付けられて固定されるものであるが，該熱交換器４を支持する支持板２０に取り付けられるよう構成されたものであってもかまわない。このとき，上記換気ファン３０の取付面３７（図７（ｂ）参照）と上記支持板２０の外側面２３（図４参照）とが当接するように取り付けられる。これにより，図６（ｂ）に示すように，上記取付面３７に形成された上記吸気口３２が上記支持板２０の上記凹部２２に対向配置される。
このように上記換気ファン３０が配設されることにより，上記凹部２２（図６（ｂ）の網掛け部分）を経て上記換気ファン３０の吸気口３２に空気を導く空気流路Ｚ１（図４中の矢印Ｚ１）が形成される。これにより，上記換気ファン３０によって上記空気流路Ｚ１を通って周辺空気が吸気されて，この吸気された空気が室外に排気される。
なお，オープンパネル９（図１参照）の側面に図９に示す従来の空気調和機Ｙ２と同様の格子状の開口部を設け，室内空気を該開口部から上記空気流路Ｚ１に導く空気ダクトを設けて，直接に室内空気を吸引するよう構成すれば，より効率よく室内空気を換気することが可能となる。
前述した空気調和機Ｙ１，Ｙ２を含め，従来の空気調和機においても，熱交換器を支持する支持板に上記凹部２２（図３，４参照）に相当する陥没空間が設けられているが，従来は，この陥没空間を他の用途に用いていなかった。しかし，本空気調和機Ｘにおいては，上記凹部２２が，図５に示すように，上記換気ファン３０の吸気口３２の吸気スペースとして用いられるため，上記空気調和機Ｘの内部に換気ファン３０の吸気スペースを別途設ける必要は無い。
【００１２】
また，上記換気ファン３０は，図７（ｂ）に示す上記熱交換器４側の取付面３７（フィルターガイド３３，３４が形成された面）と，図３，図４に示す上記支持板２０の外側面２３（凹部２２とフィルターガイド２４が形成された面）とが当接されることにより，上記換気ファン３０に形成された上記フィルターガイド３３，３４（図７（ｂ））と上記フィルターガイド２４（図３，４）とが，図５に示すように，上記粉塵フィルター４０を上記換気ファン３０の吸気口３２に導くと共に上記粉塵フィルター４０自体を支持するフィルターケース（フィルター支持部に相当）を構成するように配設される。即ち，上記支持板２０の外側面２３に上記換気ファン３０の取付面３７が当接することにより，上記フィルターガイド３３，３４と上記フィルターガイド２４とによって上記フィルターケースが構成される。なお，図６（ｂ）中の間隙ｄが上記フィルターケースの挿入口である。これにより，上記粉塵フィルター４０を支持するために従来設けられていた支持部品を排除することができるだけでなく，上記粉塵フィルター４０の取付構造を簡素化することが可能となる。
【図面の簡単な説明】
【００１３】
【図１】本発明の一実施形態に係る空気調和機Ｘの全体を示す全体斜視図。
【図２】上記空気調和機Ｘを正面左方向から見た縦断面図。
【図３】支持板２０の外観形状を説明する外形図。
【図４】熱交換器４の左端部に支持板２０が取り付けられた状態を示す縦断面図。
【図５】上記支持板２０に換気ファン３０が取り付けられた状態を示す縦断面図。
【図６】粉塵フィルター４０が取り付けられた状態を示す縦断面図。
【図７】換気ファン３０の外観形状を示す外観図。
【図８】従来の空気調和機Ｙ１の換気装置の概要を説明する模式図。
【図９】従来の空気調和機Ｙ２の換気装置の概要を説明する模式図。
【符号の説明】
【００１４】
１…本体筐体
２…分離型上下ルーバ
３…空気吸込口
４…熱交換器
５…送風機
６…キャビネット
７…ドレンパン
９…オープンパネル
１０…一体型の上下ルーバ
１２…包囲空間
１６…空気吹出口
２０…支持板（支持部材に相当）
２１…ベンド管収容部
２２…凹部
２４…フィルターガイド（第１のフィルターガイドに相当）
３０…換気ファン
３１…排気ダクト
３２…吸気口
３３，３４…フィルターガイド（第２のフィルターガイドに相当）
３５…ケーシング
４０…粉塵フィルター
【図１】
2006125704.tif 000003
【図２】
2006125704.tif 000004
【図３】
2006125704.tif 000005
【図４】
2006125704.tif 000006
【図５】
2006125704.tif 000007
【図６】
2006125704.tif 000008
【図７】
2006125704.tif 000009
【図８】
2006125704.tif 000010
【図９】
2006125704.tif 000011